(57)【要約】  【課題】  時間帯別電力料金制度の利用及び洗濯動作の表示の仕方の両面から電力料金節減を追求できる洗濯機を提供する。  【解決手段】  洗濯機１は水槽２０とドラム３０の他、水槽２０の中の空気を循環ダクト７１を通じて循環させる送風機７２と、循環気流を加熱するヒータ７３を備え、洗濯物を乾燥させることも可能である。操作パネル１００には各種入力のためのキー入力部９２と、表示部１０１とが設けられ、制御装置８０は、電力料金割引時間帯に運転を行っているときには表示部１０１に現れる表示の数を通常運転時よりも減らす。【選択図】      図９
2006197978.tif 000002
【特許請求の範囲】
【請求項１】
洗濯機の運転を司る制御装置に対し、各種入力のためのキー入力部と、時計部と、表示部が設けられ、この制御装置は、電力料金割引時間帯に運転を行っているときは、前記表示部に現れる表示の数を通常運転時よりも減らすことを特徴とする洗濯機。
【請求項２】
前記制御装置は、電力料金割引時間帯に運転を行っているとき、使用者の選択により、前記表示部に通常運転時のままの表示を行わせる機能を備えていることを特徴とする請求項１に記載の洗濯機。
【請求項３】
前記キー入力部の異なるキーを使用した多重入力により前記選択が行われることを特徴とする請求項２に記載の洗濯機。
【請求項４】
電力料金割引時間帯の表示であるときに前記キー入力部で特定操作を行うと、一定時間だけ通常運転時の表示に切り替わることを特徴とする請求項１〜３のいずれか１項に記載の洗濯機。
【請求項５】
前記特定操作を可能とするキーが複数個存在することを特徴とする請求項４に記載の洗濯機。
【請求項６】
洗濯物投入口の蓋を閉じた状態にロックする蓋ロック装置が設けられ、前記制御装置は、電力料金割引時間帯の表示であるときには全工程において前記蓋を前記蓋ロック装置によりロックすることを特徴とする請求項１〜５のいずれか１項に記載の洗濯機。
【発明の詳細な説明】
【技術分野】
【０００１】
本発明は、時間帯別電力料金制度を利用して電力料金の節減を図ることができる洗濯機に関する。
【背景技術】
【０００２】
現在我が国では、時間帯別電力料金制度が導入されている。すなわち一般家庭用電灯回線の電力料金を夜間（午後１１時〜午前７時：地域により異なる）は割安にして、昼間から夜間に電力消費がシフトするようにし、電力需要の平準化が図られている。このような時間帯別電力料金制度を有効活用して電力料金の節減を図る機能を備えた洗濯機が提案されている。その例を特許文献１、２に見ることができる。
【０００３】
特許文献１に記載された洗濯機では、電力料金の割引が所望された場合において、期間設定手段により設定された運転期間が時間設定部に設定された割引時間帯にないときは、運転期間を割引時間帯内になるように補正する。
【０００４】
特許文献２に記載された洗濯機では、優先時間キーにより優先時間帯を設定することができるとともに、優先時間帯以外の時刻に、優先時間キーを押した後、スタートキーを押すと、洗濯開始時刻が優先時間帯の始まりの時刻へシフトする。優先時間帯として電力料金割引時間帯を設定しておくことにより、電気料金を節約することができる。
【０００５】
洗濯機の使用する電力の料金節減方策としては他にも色々なアプローチがある。特許文献３に記載された洗濯機では、無駄な表示作動を避けて電力消費を少なくしようとしている。これを実現するため、近辺の人の存在を検出する人検出手段を設け、近辺に人が存在すると判断されたときのみ表示装置を作動させ、近辺に人が存在しないと判断されたときには表示装置の作動を全面的に停止して、誰も見る人がいないにも関わらず表示のための電力が消費されるという無駄を排除している。
【特許文献１】特許第２８４５６９７号公報（第３頁−第６頁、図１−図５）
【特許文献２】特許第２７８１４８６号公報（第２頁−第３頁、図１−図４）
【特許文献３】特開平５−４２２９３号公報（第２頁−第３頁、図１−図４）
【発明の開示】
【発明が解決しようとする課題】
【０００６】
夜間の電力料金割引時間帯に洗濯を行うこととしたときは、電力料金節減の主旨を一層徹底するため、表示用の電力の低減も併せて行いたいところである。それには特許文献３に開示された技術の適用も考えられるが、人の存在を検知して表示が行われるという動作は、夜間の電力料金割引時間帯に洗濯を行うことと必ずしもマッチしない。というのは、電力料金割引時間帯は深夜なので、使用者は就寝中に洗濯工程が完了することを期待して予約設定し、表示のことなど念頭にないというケースが多いからである。そのようなケースでは、手洗いに立った折りなど洗濯機の横を通る度に表示が光るのは却ってうるささを感じることが多いうえ、場合によってはその光が寝ている人の安眠を妨げることにもなりかねない。
【０００７】
本発明は上記の点に鑑みなされたものであり、その目的とするところは、時間帯別電力料金制度の利用及び洗濯動作の表示の仕方の両面から電力料金節減を追求できる洗濯機を提供することにある。
【課題を解決するための手段】
【０００８】
（１）上記目的を達成するために本発明の洗濯機は、洗濯機の運転を司る制御装置に対し、各種入力のためのキー入力部と、時計部と、表示部が設けられ、この制御装置は、電力料金割引時間帯に運転を行っているときは、前記表示部に現れる表示の数を通常運転時よりも減らすことを特徴としている。
【０００９】
この構成によると、電力料金割引時間帯に洗濯機を運転する際には表示のために使用する電力も少なくなる。これにより、電力料金節減の主旨を貫徹できる。表示の数を少なくしたことが使い勝手に悪影響を与えたのでは問題であるが、使用者の多くは就寝中であり、影響は少ない。
【００１０】
（２）また本発明は、上記構成の洗濯機において、前記制御装置は、電力料金割引時間帯に運転を行っているとき、使用者の選択により、前記表示部に通常運転時のままの表示を行わせる機能を備えていることを特徴としている。
【００１１】
この構成によると、表示の数を通常運転のときと同じにすることもできるので、深夜であっても昼間と同様に活動する使用者にとっては使い勝手が良い。
【００１２】
（３）また本発明は、上記構成の洗濯機において、前記キー入力部の異なるキーを使用した多重入力により前記選択が行われることを特徴としている。
【００１３】
この構成によると、表示の切り替えを既存のキーで行うことができるから、キーを新設する必要がない分だけ製造コストを抑制することができる。
【００１４】
（４）また本発明は、上記構成の洗濯機において、電力料金割引時間帯の表示であるときに前記キー入力部で特定操作を行うと、一定時間だけ通常運転時の表示に切り替わることを特徴としている。
【００１５】
この構成によると、電力料金割引時間帯の表示であるときにもキー操作で通常の表示を呼び出し、運転状況を確認することができる。
【００１６】
（５）また本発明は、上記構成の洗濯機において、前記特定操作を可能とするキーが複数個存在することを特徴としている。
【００１７】
この構成によると、通常の表示を呼び出すためのキーが１個だけでなく、複数個存在するから、キーを間違えたため通常の表示を呼び出せないといったことが少なく、使い勝手が良い。
【００１８】
（６）また本発明は、上記構成の洗濯機において、洗濯物投入口の蓋を閉じた状態にロックする蓋ロック装置が設けられ、前記制御装置は、電力料金割引時間帯の表示であるときには全工程において前記蓋を前記蓋ロック装置によりロックすることを特徴としている。
【００１９】
電力料金割引時間帯に、少ない表示で洗濯機が稼働していると、洗濯機が動いていないものと勘違いされ、蓋を開けられてしまうことがある。そのようなことをされると危険であるし、新たな洗濯物を投入されると洗濯のシーケンスが狂ってしまう。電力料金割引時間帯の表示であるときには蓋が開かないものとしておけば、そのような事態を招くことがない。
【発明の効果】
【００２０】
本発明によると、電力料金割引時間帯に洗濯機を運転する際には表示の数が少なくなるので、割引料金であることに加え、表示のために使用する電力が少ないことによって、二重に電力料金を節減できる。
【発明を実施するための最良の形態】
【００２１】
以下、本発明の実施形態を図１−図１２に基づき説明する。
【００２２】
図１は洗濯機の外観斜視図、図２はその垂直断面図である。洗濯機１は乾燥機能付きのものであり、箱形の本体１０を有する。本体１０の内部には、水槽２０と、洗濯対象であり乾燥対象でもある洗濯物を収容するドラム３０とが配置されている。水槽２０もドラム３０も円筒形で、それぞれ一方の端面に洗濯物投入口２１、３１を有する。
【００２３】
ドラム３０の底部中心からは外向きに軸３２が突出する。この軸３２が水槽２０の底部中心に設けられた軸受２２に支えられることにより、ドラム３０と水槽２０とはドラム３０を内、水槽２０を外とする同心配置となる。
【００２４】
水槽２０及びドラム３０は、図示しないサスペンション機構により軸線が水平かやや斜めになるように本体１０内で支持される。この実施形態では水槽２０とドラム３０の軸線は水平面に対し角度θ（例えば１５゜）の傾斜をなし、洗濯物投入口２１、３１の方がやや持ち上がった形になっている。これはドラム３０の内部を見やすくするのと、洗濯物の出し入れを容易にするためである。
【００２５】
上記のように水槽２０及びドラム３０は回転軸が水平線と交差するものであり、その交差角θは０゜〜３０゜の範囲が想定されているが、角度範囲に特に限定はない。
【００２６】
本体１０の正面側外壁には、洗濯物投入口２１、３１と向かい合うように開口１１が設けられている。開口１１の前面には横開きの蓋１２が設けられる。本体１０に設けた蓋ロック装置（機構は図示しない）により、蓋１２を閉じた状態でロックすることができる。
【００２７】
軟質合成樹脂又はゴムよりなるドアパッキン１３が開口１１と洗濯物投入口２１とを連結する。ドアパッキン１３はドラム３０の中で生じる水の飛沫や濡れた洗濯物を出し入れする際の水のしたたり、あるいは洗濯物投入口２１からの溢水などが本体１０の内部を濡らすのを防ぐ。
【００２８】
ドアパッキン１３の内周面には環状のリップ１４が一体形設されていて、これが蓋１２の内面に設けられた突部１５の外周に密着し、ドアパッキン１３と蓋１２の隙間から水が漏れるのを防ぐ。突部１５はドラム３０の中の洗濯物が洗濯物投入口２１からはみ出さないようにする役割を担う。突部１５を透明材料で形成し、ドラム３０の内部を見通せるようにしておいてもよい。
【００２９】
ドラム３０の周壁には多数の脱水孔３３が形設されている。この脱水孔３３を通じドラム３０と水槽２０との間を水が行き来する。ドラム３０の内周面には複数のバッフル３４が所定間隔で設けられている。バッフル３４はドラム３０の回転に伴い洗濯物を引っかけては持ち上げ、上の方から落下させる。
【００３０】
ドラム３０の外面及び洗濯物投入口３１にはバランスウェイト（バランサ）３５が取り付けられる。図２には洗濯物投入口３１に取り付けられた環状のバランスウェイト３５のみ示し、ドラム３０の外面に取り付けられたバランスウェイトは図示していない。バランスウェイト３５はドラム３０が高速回転したときに発生する振動を抑制するものである。
【００３１】
水槽２０の底部外面にはモータ４０が取り付けられている。モータ４０はダイレクトドライブ形式のものであり、そのロータにドラム３０の軸３２が連結固定される。なお前記軸受２２はモータ４０のハウジングに取り付けられ、モータ４０の構成要素の一部となっている。
【００３２】
水槽２０の上方の空間には電磁的に開閉する給水弁５０が配置されている。給水弁５０には水道水などの上水を供給する給水ホース５１が接続されている。給水弁５０は３連式のものであり、１個の入力ポートと３個の出力ポートを備え、出力ポート毎に独立して給水と止水が可能である。
【００３３】
給水弁５０の３個の出力ポートのうち、第１のものと第２のものは、洗濯物投入口３１に面する箇所に設けられた給水ノズル５２を通じてドラム３０に給水するのに用いられる。第１の出力ポートは図示しない洗剤投入ボックスを経由して給水ノズル５２に接続されている。第２の出力ポートは図示しない仕上剤投入ボックスを経由して給水ノズル５２に接続されている。第３の出力ポートは乾燥運転の際に除湿用の水を供給するのに用いられるものであり、除湿用噴霧ノズル５３に接続されている。除湿用噴霧ノズル５３については後で説明する。
【００３４】
水槽２０の最も低くなった箇所には排水口２３が設けられ、ここに排水管６０の一端が接続される。排水管６０の他端はフィルタケーシング６１に接続される。フィルタケーシング６１の中には糸屑フィルタ６２が挿入されている。糸屑フィルタ６２は合成樹脂の網や布により形成され、水中の糸屑を捕集する。フィルタケーシング６１の一端は着脱自在なキャップ６３で閉ざされており、キャップ６３を取り外して糸屑フィルタ６２を掃除したり、交換したりすることができる。
【００３５】
フィルタケーシング６１には排水管６４を接続し、糸屑フィルタ６２を通過した排水を本体１０の外に排出する。排水管６４には排水ポンプ６５が設けられている。
【００３６】
排水管６４には、糸屑フィルタ６２と排水ポンプ６５の間の箇所に循環ポンプ６６が設けられている。循環ポンプ６６は糸屑フィルタ６２を通過した水を戻り管６７を通じて給水ノズル５３に戻す働きをする。
【００３７】
排水ポンプ６５は弁兼用であって、運転停止時には水を通さない。これに対し循環ポンプ６６には弁の機能はなく、運転していないかぎり水は自由に下流側へ流れる。
【００３８】
フィルタケーシング６１にはエアトラップ６１ａが設けられる。エアトラップ６１ａから導出された導圧パイプ６８の上端には水位センサ６９が設けられている。水位センサ６９はエアトラップ６１ａ内の圧力変化に応じて磁性体をコイル内で移動させ、その結果生じるコイルのインダクタンス変化を発振周波数の変化として検出し、この発振周波数の変化から水位を読みとるものである。ここで読みとるのは水槽２０の中の水位である。
【００３９】
洗濯・すすぎ・脱水を経た洗濯物はドラム３０の中で乾燥される。ドラム３０及びこれを囲む水槽２０の内部は密閉乾燥室７０となる。すなわち洗濯物は、洗濯機１の外から取り入れた空気によってではなく、洗濯機１の内部を循環する空気によって乾燥される。
【００４０】
上記のような循環乾燥を可能にするため、水槽２０の外側に循環ダクト７１が形成されている。循環ダクト７１の一端は水槽２０の排水口２３の近傍に接続され、他端はドアパッキン１３の上部に接続される。循環ダクト７１の途中には送風機７２と、乾燥用空気の加熱手段であるヒータ７３が設けられる。送風機７２は密閉乾燥室７０の空気を水槽２０の底部から吸い込み、吸い込んだ空気をドアパッキン１３の上部から密閉乾燥室７０に戻す働きをする。ヒータ７３は送風機７２の下流にあって、密閉乾燥室７０に吹き込まれる空気を加熱する働きをする。
【００４１】
循環ダクト７１を流れる空気は除湿手段によって除湿される。本実施形態では除湿用噴霧ノズル５３が除湿手段を構成する。循環ダクト７１は、水槽２０の底部から立ち上がってドアパッキン１３の方へと向きを変える屈曲点のあたりで流路断面積が広がっており、この箇所が冷却室７４となっている。この冷却室７４に除湿用噴霧ノズル５３が設置される。
【００４２】
除湿用噴霧ノズル５３は水を細かい水滴にして冷却室７４に噴霧する。水滴の大きさは、送風機７２に吸い込まれることなく重力で落下して水槽２０に流入する程度に設定される。
【００４３】
本体１０の前部上面には操作パネル１００が設けられる。操作パネル１００には表示部とキー入力部が配置されるが、その詳細は後で説明する。
【００４４】
操作パネル１００に近接して、本体１０の内部には制御装置８０が配置される。図３に制御装置８０の構成を示す。制御装置８０の主たる構成要素はマイクロコンピュータ８１である。マイクロコンピュータ８１は制御部と演算部を有する中央演算ユニット８２の他、ＲＡＭ８３、ＲＯＭ８４、及び入出力部８５を備えている。中央演算ユニット８２にはカウント部８６及びタイマー８７が付属する。また、電源回路８８とリセット回路８９がマイクロコンピュータ８１に接続されている。電源回路８８は商用電源の電圧を各回路に適した電圧に変換し供給するものである。
【００４５】
マイクロコンピュータ８１はＲＯＭ８４に記憶されているプログラムに従って各種の制御を行う。カウント部８６は運転時間等をカウントし、カウントした時間等はＲＡＭ８３に一時的に保持される。リセット回路８９はマイクロコンピュータ１０１の初期化を行う。
【００４６】
入出力部８５には次の要素が接続される。すなわち時刻計時回路９０、記憶手段を構成する不揮発性メモリ９１、キー入力部９２、状態検知回路９３、負荷駆動回路９４、表示部１０１、及びブザー１０３である。
【００４７】
時刻計時回路９０は時計として時刻を計時する。時刻計時回路９０には電池が搭載されており、電灯回線より電力供給が行われない場合でも計時を行うことができる。不揮発性メモリ９１は運転条件、時刻、電力料金割引時間帯等のデータを記憶する。状態検知回路９３は検知手段３６や水位センサ６９等のセンサ類及び、これらのセンサからの信号をデジタル信号に変換する回路を含んでいる。なお本明細書では、以後、電力料金割引時間帯のことを単に「割引時間帯」と称する。
【００４８】
負荷駆動回路９４には次の負荷が接続される。すなわちモータ４０、給水弁５０、排水ポンプ６５、循環ポンプ６６、送風機７２、ヒータ７３、及び蓋ロック装置１６である。
【００４９】
制御装置８０は、異常が生じたことを報知手段により使用者に報知する。報知手段を構成するのは制御装置８０の中に配置されたブザー１０３である。ブザー１０３はキー操作が行われたときや洗濯終了時にも鳴動する。
【００５０】
キー入力部９２や状態検知回路９３から入力される信号はＲＯＭ８４に記憶されているプログラムに従ってマイクロコンピュータ８１で演算処理される。その処理結果に基づきマイクロコンピュータ８１は負荷駆動回路９４、表示部１０１、及びブザー１０３に信号を出力し、洗濯機１における一連の工程を実行する。
【００５１】
図４に操作パネル１００のレイアウトを示す。操作パネル１００の中で、概ね左上の部分が表示部１０１となり、それ以外の部分がキー入力部９２となる。
【００５２】
表示部１０１には次の機能別表示部が配設される。すなわち水位表示部１１１、進行表示部１１２、数値表示部１１３、「残り」表示部１１４、深夜電力表示部１１５、及びコース表示部１１６である。
【００５３】
水位表示部１１１は設定された水位が「高」「中」「低」の３段階のいずれであるかを表示する。進行表示部１１２は洗濯機１が洗濯の各工程（「洗い」「すすぎ」「脱水」「乾燥」）のどの工程にあるかを表示する。数値表示部１１３は時刻、工程の設定時間、工程の残り時間などの数値データを表示する。「残り」表示部１１４は数値表示部１１３に表示された数値が工程の残り時間であることを表示する。深夜電力表示部１１５は洗濯機１が深夜電力モードに設定されていることを表示する。コース表示部１１６は４種類の運転コース（「標準」「スピード」「毛布」「がんこ」）のいずれが選択されたかを表示する。各表示部の表示素子にはＬＥＤや液晶パネルを使用する。
【００５４】
キー入力部９２にはメンブレンスイッチタイプの入力キーが次のように配置されている。まず操作パネル１００の右端に、電源キー１２０とスタートキー１２１が上下に並ぶ形で配置されている。スタートキー１２１の左側には各種設定キー、すなわち水位キー１２２、洗いキー１２３、すすぎキー１２４、脱水キー１２５、乾燥キー１２６、コースキー１２７、及び深夜電力キー１２８が横一列に配置されている。電源キー１２０の左側には予約キー１３０と、時刻設定を行うための「時」キー１３１及び「分」キー１３２が配置されている。
【００５５】
電源キー１２０は電源を入れたり切ったりするのに用いる。スタートキー１２１は洗濯機１の動作をスタートさせたり一時停止させたりするのに用いる。水位キー１２２は水槽２０の中の水位を選択するのに用いる。洗いキー１２３は洗い工程の運転内容を設定するのに用いる。すすぎキー１２４はすすぎ工程の運転内容を設定するのに用いる。脱水キー１２５は脱水工程の運転内容を選択するのに用いる。乾燥キー１２６は乾燥行程の運転内容を選択するのに用いる。コースキー１２７は洗濯物の種類や汚れ具合に応じて運転コースを選択するのに用いる。深夜電力キー１２８は割引時間帯に運転を行うコースを設定するのに用いる。
【００５６】
予約キー１３０はタイマによる予約運転を設定するのに用いる。「時」キー１３１と「分」キー１３２は時刻設定や割引時間帯の設定を行う際に「時」「分」を設定するのに用いられる他、「時」「分」以外の数値を入力するのにも用いられる。
【００５７】
続いて洗濯機１の動作を説明する。まず蓋１２を開け、ドラム３０の中に洗濯物を入れる。洗剤投入ボックス（図示せず）の中には洗剤を入れる。必要なら仕上剤投入ボックス（図示せず）の中に仕上剤を入れる。
【００５８】
洗剤の投入準備を整えた後、蓋１２を閉じ、操作パネル１００の操作に移る。電源キー１２０を「入」にし、スタートキー１２１を押せば、洗濯機１の動作がスタートする。洗濯機１の運転は前もって設定されていた標準運転モード（毛布やウール製品などの特殊な洗濯物以外の洗濯物に関し、量、布質、水位などを自動的に判断し、洗濯から脱水までの自動運転を行うモード）で行われるが、スタートキー１２１を押す前に各種入力キーを操作しすることにより、標準運転モード以外の任意のモードに設定し直すことも可能である。
【００５９】
スタートキー１２１からの信号を受け、マイクロコンピュータ８１は負荷駆動回路９４に信号を送って負荷の駆動を開始する。まず、水槽２０の中の水が所定水位に達したことを水位センサ６９が検知するまで給水が行われる。この時は給水弁５０の第１の出力ポートを使って給水され、水は洗剤投入ボックスの中の洗剤を溶かし込みつつ給水ノズル５２よりドラム３０に注がれる。この時排水ポンプ６５は運転停止状態にあり、排水管６４を閉ざしている。水位センサ６９が設定水位を検知したら給水弁５０は閉じる。そして洗い工程が開始される。
【００６０】
最初は「なじませタンブリング」の段階であり、ドラム３０が低速で回転する。洗濯物はゆっくりしたペースで水から持ち上げられては再び水の中に落下する。「なじませタンブリング」の目的は、洗濯物に水を十分に吸収させることと、洗濯物の各所にとらわれていた空気を逃がすことである。
【００６１】
「なじませタンブリング」の段階が終了したら、ドラム３０は「洗いタンブリング」の段階に移る。ドラム３０は「なじませタンブリング」の時よりも速い速度で回転し、洗濯物を高く持ち上げては落下させる。この落下時の衝撃により洗濯物の繊維の間に洗剤を溶かした水の噴流が発生し、洗濯物が洗われる。
【００６２】
「洗いタンブリング」の間中、循環ポンプ６６を運転する。これにより水槽２０の中の水は、排水管６０→糸屑フィルタ６２→循環ポンプ６６→戻り管６７→給水ノズル５２という経路で循環し、水中の糸屑は糸屑フィルタ６２により捕捉される。すすぎ工程でも同様に循環ポンプ６６の運転を行う。
【００６３】
「洗いタンブリング」の段階が終了した後、「バランス工程」に移る。「バランス工程」ではドラム３０がゆるやかに回転する。ドラム３０がゆるやかに回転した場合、洗濯物は高い位置に持ち上げられる前に、低い位置でドラム３０から離れて落下する。このため洗濯物は、高い位置から落下したときのようにドラム３０の内壁にたたきつけられてぺたりとへばりつくようなことがなく、むしろドラム３０の内壁を転がるような感じになり、洗濯物同士比較的ふんわりと重なる。この状態だとドラム３０が高速の脱水回転を始めたときに洗濯物が四方に分散しやすい。すなわちバランスをとりやすい。このような理由で、ドラム３０をゆるやかに回転させて洗濯物をほぐし、脱水回転に備えるのである。
【００６４】
洗い工程終了後、脱水工程を経てすすぎ工程に移行する。脱水工程では循環ポンプ６６が運転を停止し、排水ポンプ６５が運転を開始する。排水ポンプ６５が運転を開始すると水槽２０の中の水は排水管６４を通じて機外に排水される。
【００６５】
所定時間が経過し、洗濯物から大部分の水が抜けたところで、ドラム３０が比較的低速の回転を開始する。洗濯物に含まれる水は遠心力で振り切られ、排水口２３を通じて水槽２０の外へ排水される。低速脱水の後、高速脱水に移り、水を十分に振り切る。それからドラム３０は停止する。排水ポンプ６５も停止し、水槽２０にすすぎ水を溜める態勢を整える。
【００６６】
脱水後の洗濯物に対し、すすぎ水を給水する。通常の場合、給水弁５０は第１の出力ポートを通じて給水を行う。水槽２０の中の水位が設定水位に達すると給水は停止され、すすぎ工程が開始される。
【００６７】
最初、洗い行程と同様に「なじませタンブリング」の段階があり、その後「すすぎタンブリング」の段階に移る。ドラム３０は洗濯物を水にくぐらせては持ち上げ、落下させる。これにより洗濯物のすすぎが行われる。
【００６８】
「すすぎタンブリング」の段階が終了した後、洗い行程と同様に「バランス工程」を経て脱水工程に移る。すすぎ行程は設定回数だけ繰り返される。
【００６９】
洗濯物を仕上剤で仕上げるときは、給水弁５０の第２の出力ポートを適宜のタイミングで開き、仕上剤投入ボックスの中の仕上剤をすすぎ水に投入する。
【００７０】
上記説明では水槽２０の中にすすぎ水をためておいてすすぎを行う「ためすすぎ」を実行するものとしたが、常に新しい水を補給する注水すすぎ、あるいは洗濯物に水のシャワーを注ぎかけるシャワーすすぎを行うこととしてもよい。
【００７１】
最終のすすぎ行程と、それに引き続く脱水工程が終了した後、乾燥工程に移行する。乾燥行程では、ドラム３０を低速で回転させつつ送風機７２とヒータ７３に通電する。送風機７２は密閉乾燥室７０と循環ダクト７１を循環する循環気流を形成し、ヒータ７３はその循環気流を加熱する。タンブリングされる洗濯物は加熱されて温風となった循環気流に曝され、水分を奪われる。
【００７２】
制御装置８０は図示しない温度センサと湿度センサにより密閉乾燥室７０内の温度と湿度をモニターし、適宜のタイミングで給水弁５０の第３の出力ポートを開いて除湿用噴霧ノズル５３に給水する。給水された除湿用噴霧ノズル５３は除湿水の噴霧を発生する。除湿水の噴霧は前述のように比較的大きな水滴により構成されるものであり、水滴は循環気流によって送風機７２の方に吹きやられることなく落下する。落下する水に循環気流が接触すると循環気流の温度が低下し、循環気流中の水分が凝縮する。凝縮した水分は除湿水と一体化して循環ダクト７１を流下し、水槽２０に入る。そして排水口２３から排水される。
【００７３】
乾燥行程は、所定時間が経過するまで、あるいは循環気流の湿度が所定値まで下がったことを湿度センサが検知するまで、続けられる。乾燥行程が終わりを迎えたら全工程の終了であり、洗濯機１は停止する。
【００７４】
続いて操作パネル１００で時刻設定を行う方法を、図４に加え、図５、６を参照しつつ説明する。図５、６は数値示部１１３の表示が変遷する状況を模型的に示す説明図である。
【００７５】
制御装置８０に電力が供給されているが、電源キー１２０は「切」となっている状態が「電源キー入力待ち状態」である。ここで電源キー１２０を押すと、「電源キー入力待ち状態」から「運転設定可能状態」になり、電源キー１２０以外のキーの入力を受け付ける態勢が整う。
【００７６】
時刻設定を行う場合は「電源キー入力待ち状態」で電源キー１２０と予約キー１３０の同時押しを行う。すると「時刻設定状態」となる。初期表示では図５のように数値表示部１１３の中で「コロン」より左側の部分、すなわち「時」側が点滅する。図５では点の集合からなる数字により点滅状態であることを表現し、黒く塗りつぶした数字により連続表示状態であることを表現している。
【００７７】
「時」キー１３１を押すと、点滅する数字が１ずつカウントアップされる。所望の数字が出たところで「時」キー１３１から指を離し、スタートキー１２１を押すと、「時」が確定する。
【００７８】
「時」が確定すると、今度は図６のように「分」側が点滅する。今度は「分」キー１３２を使って所望の数字を選択した後、スタートキー１２１で「分」を確定する。
【００７９】
時刻を「時」「分」とも確定した後、時刻計時回路９０により、確定された時刻から時刻の計時が開始される。その後電源キー１２０を押せば、「運転設定可能状態」から「電源キー入力待ち状態」に戻る。時刻合わせも、割引時間帯の設定も、それ以外の数値の入力も、上記の要領で行う。
【００８０】
上述の通り、「電源キー入力待ち状態」で電源キー１２０と予約キー１３０の同時押しを行うと「時刻設定状態」の表示にすることができる。このように表示の切り替えに既存のキーを利用するので、専用のキーを新設する必要がなく、製造コストを抑制することができる。
【００８１】
キー入力により、洗濯機１に様々な設定を行うことが可能である。以下、図７−図１２に基づき各種設定を行った際の動作、あるいは設定を行う際の手順につき説明する。
【００８２】
図７には、割引時間帯以外の時間帯及び割引時間帯に洗濯機１を運転する場合の動作フローが示されている。このフローは請求項１の構成に対応する。
【００８３】
なお本明細書では、割引時間帯以外の時間帯に運転を行う設定のことを「通常運転モード」と称し、割引時間帯に運転を行う設定のことを「深夜電力モード」と称する。そして通常運転モードで運転を行うことを「通常運転」と称し、深夜電力モードで運転を行うことを「深夜運転」と称する。
【００８４】
最初、ステップ＃２０１で「電源キー入力待ち状態」に入る。次のステップ＃２０２で洗濯機１に深夜電力モードの設定がなされているかどうかがチェックされる。深夜電力モードの設定がなされていればステップ＃２０３に進み、なされていなければステップ＃２１１に進む。
【００８５】
先に、ステップ＃２１１に進んだ場合につき説明する。ステップ＃２１１でスタートキー１２１が押されるとステップ＃２１２に進む。そして通常運転がスタートする。それからステップ＃２１３に進み、表示部１０１に通常運転モード時の表示が点灯する。
【００８６】
図８には通常運転モード時の表示の状況が示されている。この時は、深夜電力表示部１１５を除き、水位表示部１１１、進行表示部１１２、数値表示部１１３、「残り」表示部１１４、及びコース表示部１１６の全てを用いて表示が行われる。図８の例では、水位表示部１１１において水位「高」の表示がなされ、進行表示部１１２において現在の工程の表示がなされ、コース表示部１１６において「標準」コースの表示がなされている。また数値表示部１１３においては、「残り」表示部１１４が表示状態になっているのを受けて、工程の残り時間が表示される。残り時間の表示においてはコロンの左側が「分」を表し、コロンの右側が「秒」を表す。なお表示態様は連続点灯であってもよいし、光の点滅であってもよい。
【００８７】
ステップ＃２０３に進んだ場合には深夜電力表示部１１５が点灯する。ステップ＃２０４でスタートキー１２１が押されるとステップ＃２０５に進む。そして時刻計時回路９０の計時する現在時刻と、不揮発性メモリ９１に記憶された割引時間帯のデータを照合し、現時点で割引時間帯に入っているか、いないかを判断する。まだ割引時間帯に入っていなければステップ＃２０６に進み、割引時間帯が到来するまで運転を待機する。割引時間帯に入っていればステップ＃２０７に進み、深夜運転がスタートする。それからステップ＃２０８に進み、表示部１０１に深夜電力モード時の表示が点灯する。
【００８８】
図９には深夜電力モード時の表示の状況が示されている。この時は、深夜電力表示部１１５が点灯しているのみで、残りの水位表示部１１１、進行表示部１１２、数値表示部１１３、「残り」表示部１１４、及びコース表示部１１６は全て消灯状態にある。
【００８９】
このように、割引時間帯に洗濯機１を運転する際には深夜電力表示部１１５が点灯するのみで、残りの表示部は消灯しているから、表示のために使用する電力も少なくなり、電力料金節減の主旨を貫徹できる。電力消費をさらに少なくするため、深夜電力表示部１１５も含めて全消灯としてもよい。
【００９０】
図１０には、深夜運転時であっても通常運転モード時の表示を行わせる場合の動作フローが示されている。このフローは請求項２の構成に対応する。
【００９１】
ステップ＃２２１は図７のフローのステップ＃２０１に、ステップ＃２２２はステップ＃２０２に、ステップ＃２２３はステップ＃２０３に、ステップ＃２４１はステップ＃２１１に、ステップ＃２４２はステップ＃２１２に、ステップ＃２４３はステップ＃２１３に、それぞれ対応するものであり、これらのステップについては内容の説明を省略する。図７のフローと差が出るのはステップ＃２２４からである。ステップ＃２２４ではコースキー１２７と水位キー１２２の同時押しがなされたかどうかをチェックする。同時押しがなされればステップ＃２２５に進んでからステップ＃２２６に進む。同時押しがなされなければ直接ステップ＃２２６に進む。
【００９２】
ステップ＃２２５に進んだ場合は、深夜運転時であっても通常運転モード時の表示となるように設定が切り替わる。そしてステップ＃２２６に進む。
【００９３】
ステップ＃２２６でスタートキー１２１が押されるとステップ＃２２７に進む。そして時刻計時回路９０の計時する現在時刻と、不揮発性メモリ９１に記憶された割引時間帯のデータを照合し、現時点で割引時間帯に入っているか、いないかを判断する。まだ割引時間帯に入っていなければステップ＃２２８に進み、割引時間帯が到来するまで運転を待機する。割引時間帯に入っていればステップ＃２２９に進み、深夜運転がスタートする。それからステップ＃２３０に進む。
【００９４】
ステップ＃２３０では、深夜運転時であっても通常運転モード時の表示となるように設定が切り替わっているかどうかをチェックする。切り替わっていなければステップ＃２３１に進み、深夜電力モード時の表示となる。切り替わっていればステップ＃２３２に進み、通常運転モード時の表示が点灯する。
【００９５】
このように、深夜運転の際の表示態様を通常運転のときと同じにすることもできるので、深夜であっても昼間と同様に活動する使用者にとっては使い勝手が良い。
【００９６】
図１１には、深夜電力モード時の表示中に通常運転モード時の表示を行わせる場合の動作フローが示されている。このフローは請求項４の構成に対応する。
【００９７】
ステップ＃２５１では深夜電力モード時の表示がなされている。ステップ＃２５２で、電源キー１２０とスタートキー１２１以外のキーが押されるとステップ＃２５３に進み、通常運転モード時の表示に切り替わる。ステップ＃２５４では通常運転モード時の表示に切り替わってから経過時間がカウント部８６で計測される。所定時間、例えば５秒経過したらステップ＃２５５に進む。そして深夜電力モード時の表示に戻る。
【００９８】
このように、深夜電力モード時の表示であるときにもキー操作で通常運転モード時の表示を呼び出し、運転状況を確認することができるから便利である。また通常運転モード時の表示の呼び出しは単一のキーでなく、電源キー１２０とスタートキー１２１以外の全てのキーによって行うことができるから、キーを間違えたため通常運転モード時の表示を呼び出せないといったことが少なく、使い勝手が良い。
【００９９】
図１２には、表示の選択と蓋ロック装置１６の動作との関係を示したフローが描かれている。このフローは請求項６の構成に対応する。
【０１００】
ステップ＃２６１で深夜運転がスタートすると、ステップ＃２６２で、通常運転モード時の表示が行われる設定がなされているかどうかがチェックされる。設定がなされていればステップ＃２６５に進み、通常運転モード時の表示が行われる。それからステップ＃２６６に進む。ステップ＃２６６では、蓋ロック装置１６はその時の工程に応じ、蓋１２をロックしたり、ロックしなかったりする動作を適宜行う。
【０１０１】
通常運転モード時の表示が行われる設定がなされていなければステップ＃２６３に進み、深夜電力モード時の表示が行われる。それからステップ＃２６４に進む。ステップ＃２
６４に進んだ場合は、蓋ロック装置１６は全工程において蓋１２をロックする。
【０１０２】
深夜電力モード時の表示で洗濯機１が稼働していると、表示の数が少ないため洗濯機１が動いていないものと勘違いされ、蓋１２を開けられてしまうことがある。そのようにされると危険であるし、新たな洗濯物を投入されでもすると洗濯のシーケンスが狂ってしまう。深夜電力モード時の表示であるときには常に蓋ロック装置１６を動作させて蓋１２が開かないものとしておけば、そのような事態を招くことがない。
【０１０３】
以上、本発明の実施形態につき説明したが、本発明の範囲はこれに限定されるものではなく、発明の主旨を逸脱しない範囲で種々の変更を加えて実施することができる。
【産業上の利用可能性】
【０１０４】
本発明は、時間帯別電力料金制度の活用を企図する洗濯機に広く利用可能である。
【図面の簡単な説明】
【０１０５】
【図１】洗濯機の外観斜視図
【図２】洗濯機の垂直断面図
【図３】制御ブロック図
【図４】操作パネルの正面図
【図５】時刻表示部の表示態様変遷状況説明図
【図６】時刻表示部の表示態様変遷状況説明図
【図７】第１の動作モードを示すフローチャート
【図８】通常運転モード時の表示態様を示す操作パネルの正面図
【図９】深夜電力モード時の表示態様を示す操作パネルの正面図
【図１０】第２の動作モードを示すフローチャート
【図１１】第３の動作モードを示すフローチャート
【図１２】第４の動作モードを示すフローチャート
【符号の説明】
【０１０６】
１    洗濯機
１０  本体
２０  水槽
３０  ドラム
４０  モータ
５０  給水弁
５２  給水ノズル
６４  排水管
６５  排水ポンプ
７１  循環ダクト
７２  送風機
７３  ヒータ
８０  制御装置
８１  マイクロコンピュータ
８６  カウント部（計時手段）
９０  時刻計時回路（時計手段）
９２  キー入力部
１００  操作パネル
１０１  表示部
１１１  水位表示部
１１２  進行表示部
１１３  数値表示部
１１４  「残り」表示部
１１５  深夜電力表示部
１１６  コース表示部
【図１】
2006197978.tif 000003
【図２】
2006197978.tif 000004
【図３】
2006197978.tif 000005
【図４】
2006197978.tif 000006
【図５】
2006197978.tif 000007
【図６】
2006197978.tif 000008
【図７】
2006197978.tif 000009
【図８】
2006197978.tif 000010
【図９】
2006197978.tif 000011
【図１０】
2006197978.tif 000012
【図１１】
2006197978.tif 000013
【図１２】
2006197978.tif 000014